(57)【要約】【課題】  複数の枠材で箱状に枠組みされたトラス型の昇降バトン間に掛け渡す際に好適に用いることが出来る新規な吊り下げ装置を提供する。【解決手段】  渡しバトン３の基端部３ｂを、一方の昇降バトン１の枠材１ａ−１に回動自在に連結して、渡しバトン３が、一方の昇降バトン１の収容スペース２７内に収容される位置と、隣り合わせる両昇降バトン１，１間に掛け渡される使用位置の間を回動自在としたので、極めて簡単な構造により、渡しバトン３を収容状態と掛け渡し状態とに変位させることができる。【選択図】  図４
2007172995.tif 000002
【特許請求の範囲】
【請求項１】
演出空間の上方に、複数個のトラス型昇降バトンを所定の間隔をおいて配設し、且つそれぞれの昇降バトン毎に、該昇降バトンを自動昇降させる昇降装置を設置すると共に、隣り合わせる両昇降バトン間に掛け渡されて該両昇降バトンを連結する渡しバトンを備えた演出機器吊り下げ装置であって、
前記渡しバトンの基端部を、一方の昇降バトンの外周縁を構成する枠材に回動自在に連結して、前記渡しバトンが、前記一方の昇降バトン内に収容される収容位置と、隣り合わせる両昇降バトン間に掛け渡される使用位置と、の間を回動自在にすると共に、
前記渡しバトンの基端部を、前記枠材に対しその長さ方向へ摺動自在となるよう連結して、該渡しバトンの掛け渡し位置を調整可能とし、
さらに、前記一方の昇降バトンに、前記渡しバトンが前記収容位置にあることを検出する検出手段を設け、前記渡しバトンが前記収容位置にある時は、隣り合わせる両昇降バトンの各昇降装置が各々独立して作動する一方、前記渡しバトンが前記使用位置にある時は、前記隣り合わせる両昇降バトンの各昇降装置が同期作動するよう構成したことを特徴とする演出機器吊り下げ装置。
【請求項２】
前記渡しバトンの先端部を、前記両昇降バトンの外周縁を構成する枠材に対し係脱自在な掛鉤状とすると共に、渡しバトン軸心周りを回動自在に形成して、
前記渡しバトンが前記収容位置にある時は、前記先端部が、前記一方の昇降バトンの外周縁を構成する枠材に係合する一方、該渡しバトンが前記使用位置にある時は、隣り合わせる他方の昇降バトンの外周縁を構成する枠材に係合するよう構成したことを特徴とする請求項１記載の演出機器吊り下げ装置。
【請求項３】
前記一方の昇降バトンに、前記渡しバトンが収容される収容スペースを形成し、該収容スペース内に、前記検出手段を構成する検出センサーを設置したことを特徴とする請求項１又は２記載の演出機器吊り下げ装置。
【発明の詳細な説明】
【技術分野】
【０００１】
本発明は、ＴＶスタジオや劇場舞台などの演出空間の上方に設置されて、スポットライトやその他の各種演出機器を任意の箇所に吊り下げる演出機器吊り下げ装置に関し、詳しくは、昇降装置の作動で自動昇降するトラス型の昇降バトンを、所定の間隔をおいて複数配設すると共に、隣り合わせる両昇降バトン間に掛け渡される渡しバトンを備えた演出機器吊り下げ装置に関する。
【背景技術】
【０００２】
通常、ＴＶスタジオや劇場舞台などの演出空間の上方には、管状バトン、十字状バトン、トラス型昇降バトンなどが、所定の間隔をおいて複数配設されると共に、それぞれのバトン毎に、該バトンを自動昇降させる昇降装置が設置され、スポットライトなどの演出機器を任意の箇所に吊り下げるようになっている。
また、隣り合わせるバトン同士間の隙間に演出機器を設置したい場合は、両バトン間に渡しバトンを掛け渡し、この渡しバトンに演出機器を吊り下げている。
【０００３】
渡しバトンは、金属管の両端に掛鉤を固着したもので、通常、必要の度に保管場所から取り出して任意の箇所に掛け渡すようになっているが、保管場所の確保や管理が面倒であるなどの不具合がある。このような問題を解消するために、本出願人は、管状バトンや十字状バトンに渡しバトンを保持せしめ、該渡しバトンを、隣り合わせる両バトン間に掛け渡す状態と、一方の管状バトン又は十字状バトンに収納保持する状態とに変位可能とした照明器具等吊り下げ装置を提案している（特許文献１、２参照）。
【０００４】
【特許文献１】実公昭５５−３２３３２号公報
【特許文献２】実公昭５７−８０９０号公報
【発明の開示】
【発明が解決しようとする課題】
【０００５】
ところで、本出願人による先提案の構造は、隣り合わせる管状バトン同士又は十字状バトン同士の間に渡しバトンを掛け渡すことを目的としたものであり、箱状に枠組みされたトラス型の昇降バトン同士間に渡しバトンを掛け渡すことは想定されていない。
また、該先提案の構造を、トラス型の昇降バトンに組み込むことも可能ではあるが、特許文献１の場合には構造が複雑になり、製造コスト、設置コストなどが高くなるなどの不具合があり、特許文献２の場合には、渡しバトンの使用位置が限定される不具合がある。
【０００６】
本発明はこのような従来事情に鑑みてなされたもので、その目的とする処は、複数の枠材で箱状に枠組みされたトラス型の昇降バトン間に掛け渡す際に好適に用いることが出来る、新規な吊り下げ装置を提供することにある。
【課題を解決するための手段】
【０００７】
以上の目的を達成するために本発明は、演出空間の上方に、複数個のトラス型昇降バトンを所定の間隔をおいて配設し、且つそれぞれの昇降バトン毎に、該昇降バトンを自動昇降させる昇降装置を設置すると共に、隣り合わせる両昇降バトン間に掛け渡されて該両昇降バトンを連結する渡しバトンを備えた演出機器吊り下げ装置であって、
前記渡しバトンの基端部を、一方の昇降バトンの外周縁を構成する枠材に回動自在に連結して、前記渡しバトンが、前記一方の昇降バトン内に収容される収容位置と、隣り合わせる両昇降バトン間に掛け渡される使用位置と、の間を回動自在になるよう構成したことを要旨とする。
【０００８】
このような構成によれば、極めて簡単な構造により、渡しバトンを、一方の昇降バトン内に収容される状態と、隣り合わせる両昇降バトン間に掛け渡す状態とに変位可能とすることができる。
【０００９】
前記渡しバトンの基端部を、前記枠材に対しその長さ方向へ摺動自在となるよう連結して、該渡しバトンの掛け渡し位置を調整可能に構成すると良い。
この場合、隣り合わせる両昇降バトン間の隙間内における任意の箇所に、スポットライトなどの演出機器を吊り下げることができるようになる。
【００１０】
前記渡しバトンの先端部を、前記両昇降バトンの外周縁を構成する枠材に対し係脱自在な掛鉤状とすると共に、渡しバトン軸心周りを回動自在に形成して、
前記渡しバトンが前記収容位置にある時は、前記先端部が、前記一方の昇降バトンの外周縁を構成する枠材に係合する一方、該渡しバトンが前記使用位置にある時は、隣り合わせる他方の昇降バトンの外周縁を構成する枠材に係合するよう構成することが好ましい。
【００１１】
この場合、前記一方の昇降バトンに収容された渡しバトンの掛鉤状先端部を、該昇降バトンの外周縁を構成する枠材であって、渡しバトンの基端部が回動自在に連結された枠材と対向位置にある枠材に係合させることで、該収容位置にある渡しバトンのがたつきや脱落などを防止して、その収容状態を維持することができる。また、収容位置にある渡しバトンを使用位置に変位させる時は、該渡しバトンの掛鉤状先端部を、隣り合わせる他方の昇降バトンの外周縁に係合可能な位置まで回動させることで、該渡しバトンを両昇降バトン間に掛け渡すことができる。
【００１２】
前記一方の昇降バトンに、前記渡しバトンが前記収容位置にあることを検出する検出手段を設け、前記渡しバトンが前記収容位置にある時は、隣り合わせる両昇降バトンの各昇降装置が各々独立して作動する一方、前記渡しバトンが前記使用位置にある時は、前記隣り合わせる両昇降バトンの各昇降装置が同期作動するよう構成することが好ましい。
この場合、渡しバトンが掛け渡されて連結状態にある両昇降バトンの昇降動作を同時に制御することができる。
前記検出手段としては、例えば、前記渡しバトンが前記収容位置にあることを検出するマイクロスイッチ、近接センサー、光センサー、タッチセンサーなどの各種検出センサーで構成することができる。
【００１３】
但し、前述したように、前記渡しバトンの基端部を、前記枠材に対しその長さ方向へ摺動自在となるよう連結して、該渡しバトンの掛け渡し位置を調整可能に構成した場合、昇降バトンにおける渡しバトンの収容位置が変化する可能性があり、検出センサーの機能によっては、検出精度が低下する虞れがある。
【００１４】
よって、前記一方の昇降バトンに、前記渡しバトンが収容される収容スペースを形成し、該収容スペース内に、前記検出手段を構成する検出センサーを設置することが好ましい。
この場合、渡しバトンの収容位置が位置決めされるので、該収容位置内に設置した検出センサーにより、渡しバトンの収容位置、使用位置を精度良く検出することができる。
【発明の効果】
【００１５】
本発明に係る演出機器吊り下げ装置は以上説明したように構成したので、隣り合わせるトラス型昇降バトン同士の一方に、渡しバトン基端部を回動自在に取り付けるだけの極めて簡単な構造で、該渡しバトンを、一方の昇降バトン内に収容する状態と、両昇降バトン間に掛け渡す状態とに変位させることができる。よって、不要時の渡しバトンの管理が容易であると共に、使用時には該渡しバトンを回動操作するだけで両昇降バトン間に掛け渡すことが出来、操作が簡単で、且つ低コストでの提供が可能であるなど、多くの効果を有する。
【発明を実施するための最良の形態】
【００１６】
以下、本発明に係る演出機器吊り下げ装置の実施形態の一例について、図１〜図７に基づき説明する。
図１は、本例の演出機器吊り下げ装置を設置したＴＶスタジオａの平面図を示し、該吊り下げ装置は、ＴＶスタジオａの上方空間に、複数個のトラス型昇降バトン１を、所定の間隔をおいて前後方向ｘと幅方向ｙへ平行に配設し、且つそれぞれの昇降バトン１毎に、該昇降バトン１を自動昇降させる昇降装置２を設置してなる。
【００１７】
昇降バトン１は、図２，図３に示すように、複数の金属枠材１ａにより箱状に枠組み形成されたトラス型のもので、任意の枠材にスポットライトなどの演出機器ｂを吊り下げるようになっている。各昇降バトン１は、前後方向ｘに隣り合わせる両昇降バトン１，１間に掛け渡される渡しバトン３を備えている。
【００１８】
渡しバトン３は、金属管３ａの一方の端部（基端部）に固定具３ｂを、他方の端部（先端部）に係止具３ｃをそれぞれ備え、固定具３ｂにより、昇降バトン１の外周縁を構成する枠材１ａ−１に基端部を回動自在に連結して、昇降バトン１内に収容される収容位置（図３参照）と、隣り合わせる両昇降バトン１，１間に掛け渡される使用位置（図４，図５参照）と、の間を回動自在になっている。
【００１９】
固定具３ｂは、昇降バトン１において、前後方向ｘに対しスタジオ正面ａ”側に位置する枠材１ａ−１に連結され、前後方向ｘに隣り合わせる両昇降バトン１，１の内、コンソールａ’側の昇降バトン１に備えられた渡しバトン３が、スタジオ正面ａ”側の昇降バトン１に掛け渡されるようになっている。
【００２０】
本例の固定具３ｂは、図６に拡大断面を示すように、前記枠材１ａ−１に回動且つ摺動自在に嵌り合う半割筒状の上下の樹脂カラー１１，１２と、その外側に覆い被さる半割筒状の上下の止め部材１３，１４を備えている。
上下の止め部材１３，１４は外端部分を蝶番１５で連結されると共に、内端側に上下の差込片１６，１７が延設されており、枠材１ａ−１の外周に装着した上下の樹脂カラー１１，１２の外側に上下の止め部材１３，１４を重ね、且つ、重ね合わ状の上下差込片１６，１７を、金属管３ａに挿入してビス１８，１９で固定することで、金属管３ａの基端に固定具３ｂが固定されると共に、渡しバトン３の基端側が、前記枠材１ａ−１に回動且つ摺動自在に固定される。
これにより、渡しバトン３がその固定具３ｂを中心に前記使用位置と収容位置の間を回動自在となる（図４）と共に、前記枠材１ａ−１に対しその長さ方向へ摺動自在となって、渡しバトン３の掛け渡し位置を任意に調整し得るようになる（図５）。
【００２１】
渡しバトン３の係止具３ｃは、図７に拡大断面を示すように、昇降バトン１において、前後方向ｘに対しスタジオ正面ａ”側に位置する枠材１ａ−１と、コンソールａ’側に位置する枠材１ａ−２の双方に対し係脱自在な掛鉤状に形成されている。
また、係止具３ｃは、金属管３ａの先端側に回動且つ摺動自在に挿入した延長管２０の先端に固着されて、渡しバトン３の軸心周りを回動自在とされている。そして、渡しバトン３が昇降バトン１に収容されている時は、係止具３ｃが、該昇降バトン１の前記コンソールａ’側の枠材１ａ−２に係合して、その収容状態が維持されるようになっている。また、渡しバトン３を隣り合わせる他方の昇降バトン１に掛け渡す時は、係止具３ｃを１８０度回転させ、隣り合わせる他方の昇降バトン１の前記コンソールａ’側の枠材１ａ−２に係合して、使用状態（掛け渡し状態）が維持されるようになっている。
【００２２】
尚、本例においては、延長管２０を金属管３ａに対し摺動自在とすると共に、金属管３ａ先端に連結したカップリング２１と、延長管２０の鍔部２２とで抜け止めをして、隣り合わせる両昇降バトン１，１間の隙間の誤差等に対応し得るようになっている。
【００２３】
昇降装置２は、それぞれの昇降バトン１毎に対応して設けられており、スタジオ上部のグリッドｃ上に設置された一台のワイヤー巻上げ機２４と、一端をこのワイヤー巻上げ機２４に巻き付け他端を昇降バトン１に連結した四本のワイヤー２５を備えた四点吊り構造で、ワイヤー巻上げ機２４による各ワイヤー２５の巻上げ、操出し動作を行うための作動を制御する不図示の制御部を備える。
【００２４】
また、各昇降バトン１は、渡しバトン３が収容位置にあることを検出する検出手段としての検出センサー２６を備え、この検出センサー２６の検出信号に基づき、前記制御部を介して、各昇降バトン１の昇降装置１の作動が制御されるようになっている。
すなわち、渡しバトン３が収容位置にある時は、検出センサー２６がこの状態を検出して前記制御部が単独動作モードになり、隣り合わせる両昇降バトン１，１の各昇降装置２が各々独立して作動する。一方、渡しバトン３が使用位置にある時は、検出センサー２６がこの状態を検出して前記制御部が同期動作モードになり、隣り合わせる両昇降バトン１，１の各昇降装置２が同期作動するよう構成される。
【００２５】
また、各昇降バトン１には、渡しバトン３が収容される収容スペース２７が形成されており、該収容スペース２７を外れる箇所には、不図示の給電ケーブル受けカゴや電源端子ボックスなどを設置するための設置スペース２８が枠材２９により区画形成されていて、収容スペース２７のみに渡しバトン３が収容可能なように構成されている。
そして、検出センサー２６をこの収容スペース２７内に装備することで、前述した渡しバトン３の収容位置、使用位置を精度良く検出し得るようになっている。
【００２６】
以上の構成になる本例の演出機器吊り下げ装置によれば、各昇降バトン１の枠材１ａに、演出機器ｂを吊り下げ、昇降装置２により各昇降バトン１の高さを調節するなどして、所望の演出効果を得ることができる。
【００２７】
各昇降バトン１において、渡しバトン３が収容位置にある時は、該バトン先端の係止具３ｃが昇降バトン１の枠材１ａ−２に係合してがたつきや脱落などが防止され、その収容状態を維持することができる。また、検出センサー２６がこの状態を検出し、各昇降バトン１の昇降動作を独立して行うことができる。
【００２８】
隣り合わせる両昇降バトン１，１間に演出機器ｂを設置したい場合は、他方の昇降バトン１に向けて渡しバトン３を回動させると共に、該バトン先端の係止具３ｃを１８０度回転させ、該他方の昇降バトン１の枠材１ａ−２にその係止具３ｃを係合させて、渡しバトン３を両昇降バトン１，１間に掛け渡す。この時、係止具３ｃが枠材１ａ−２に係合してがたつきや脱落などが防止され、その掛け渡し状態（使用状態）を維持することができる。また、検出センサー２６がこの状態を検出し、該渡しバトン３で連結された両昇降バトン１，１の昇降動作を同期させることができる。また、渡しバトン３を摺動させることで、その掛け渡し位置を任意に調節することができる。
【００２９】
渡しバトン３が不要になった場合は、前記と反対の操作をして、一方の昇降バトン１の収容スペース２７に収容する。収容位置は収容スペース２７に限定されるので、検出センサー２６により、収容状態、使用状態の別を精度良く検出することができる。
【００３０】
以上、本発明の実施形態の一例を図面に基づき説明したが、本発明に係る演出機器吊り下げ装置は図示例に限定されず、特許請求の範囲に記載された技術的思想の範疇において、種々の変更が可能であることは言うまでもない。
【図面の簡単な説明】
【００３１】
【図１】本発明に係る演出機器吊り下げ装置の使用形態の一例を示す平面図。
【図２】本発明に係る演出機器吊り下げ装置の実施形態の一例を示す正面図。
【図３】図２に係る昇降バトンの平面図。
【図４】図３の側面図で、隣り合わせる両昇降バトンと渡しバトンの関係を表す。
【図５】図４の平面図。
【図６】渡しバトンの基端部の拡大断面図。
【図７】渡しバトンの先端部の拡大断面図。
【符号の説明】
【００３２】
１：昇降バトン
２：昇降装置
３：渡しバトン
３ｂ：固定具（基端部）
３ｃ：係止具（先端部）
２６：検出センサー
２７：収容スペース
ｂ：スポットライト（演出機器）
【図１】
2007172995.tif 000003
【図２】
2007172995.tif 000004
【図３】
2007172995.tif 000005
【図４】
2007172995.tif 000006
【図５】
2007172995.tif 000007
【図６】
2007172995.tif 000008
【図７】
2007172995.tif 000009